(57)【特許請求の範囲】
【請求項１】
原料から繊維の懸濁液である紙料を調整する紙料調整工程と、
前記紙料から繊維を抄いて繊維ウェブとしたものを搬送しながら乾燥する抄紙工程と、
を含む衛生薄葉紙の製造方法であって、
前記紙料調整工程は、
種箱に前記原料が送られる前の段階において柔軟剤を添加する第１添加工程と、
前記種箱において柔軟剤を添加する第２添加工程と、
を含み、
前記柔軟剤の添加量は、前記第２添加工程よりも前記第１添加工程の方が多いことを特徴とする衛生薄葉紙の製造方法。
【請求項２】
前記紙料調整工程は、
ＤＤＲ前タンクで水に解されたパルプ原料の濃度調整を行う工程と、
ミキシングタンクで添加剤とパルプ原料を混合させる工程と、を有し、
前記第１添加工程は、
前記ＤＤＲ前タンクにおいて柔軟剤を添加する工程又は前記ミキシングタンクにおいて柔軟剤を添加する工程であることを特徴とする請求項１に記載の衛生薄葉紙の製造方法。
【請求項３】
前記柔軟剤の添加量比は、前記第２添加工程が０．３に対して、前記第１添加工程が０．５〜１．０であることを特徴とする請求項１又は２に記載の衛生薄葉紙の製造方法。
【請求項４】
原料から繊維の懸濁液である紙料を調整する紙料調整工程と、
前記紙料から繊維を抄いて繊維ウェブとしたものを搬送しながら乾燥する抄紙工程と、
を含む衛生薄葉紙の製造方法であって、
前記紙料調整工程は、
種箱に前記原料が送られる前の段階において柔軟剤を添加する第１添加工程と、
前記種箱において柔軟剤を添加する第２添加工程と、
を含み、
前記柔軟剤の添加量比は、前記第２添加工程が０．３に対して、前記第１添加工程が０．５〜１．０であることを特徴とする衛生薄葉紙の製造方法。
【発明の詳細な説明】
【技術分野】
【０００１】
本発明は、トイレットペーパーやティシューペーパーとして好適な衛生薄葉紙の製造方法に関する。
【背景技術】
【０００２】
従来、トイレットペーパーやティシューペーパーなどの衛生薄葉紙に求められる品質として、例えば「柔らかさ（風合い）」があるが、この風合い効果を高めるために、製造工程において、柔軟剤を添加する技術が知られている（例えば、特許文献１〜５参照）。
【０００３】
ここで、衛生薄葉紙は、例えば、周知の湿式方法により製造される。湿式方法とは、原料から繊維（パルプ）の懸濁液である紙料を調整する紙料調整工程と、紙料から繊維を抄いて繊維ウェブとしたものを搬送しながら乾燥する抄紙工程とを有するものである。
【０００４】
具体的に、紙料調整工程では、図１に示すように、パルパー１において原料となるパルプを水に解させ、水に解されたパルプ原料の濃度調整を行うタンク（以下、ＤＤＲ前タンク）２を介して、公知の叩解機であるダブルディスクリファイナー（以下、ＤＤＲ）３に原料が送られる。このＤＤＲ３において原料に対しての叩解処理が行われ、叩解処理後の原料に対して、ミキシングタンク４、マシンタンク５、種箱６、といった各配合調整段階において、各種添加剤（例えば、歩留向上剤、乾燥紙力増強剤、定着剤等）が任意の段階で添加されることで、紙料が調整される。紙料調整後の紙料は、公知の抄紙工程、具体的には、インレット、ワイヤパート、プレスパート、ドライヤパート、カレンダパート等を経るなどして、衛生薄葉紙となる。
【０００５】
そして、衛生薄葉紙の風合い効果を高めるための柔軟剤は、一般に、紙料調整工程における種箱６において添加されていた。
【先行技術文献】
【特許文献】
【０００６】
【特許文献１】ＷＯ２００５／０５４５７７号公報
【特許文献２】特開２００６−２８３２３３号公報
【特許文献３】特開２００８−２２３１６１号公報
【特許文献４】特開２００６−０９７１９１号公報
【特許文献５】特開２００９−２２１６３１号公報
【発明の概要】
【発明が解決しようとする課題】
【０００７】
しかしながら、柔軟剤を種箱６において添加する方法では、次の抄紙工程に移行するまでの時間が数秒と短いため、柔軟剤が定着するまでの時間を十分に取れず、十分な風合い効果を得ることができなかった。
【０００８】
本発明の目的は、柔軟剤の定着率を高め、風合い効果を向上させた衛生薄葉紙を製造することである。
【課題を解決するための手段】
【０００９】
請求項１に記載の発明は、上記目的を達成するためになされたものであり、原料から繊維の懸濁液である紙料を調整する紙料調整工程と、
前記紙料から繊維を抄いて繊維ウェブとしたものを搬送しながら乾燥する抄紙工程と、
を含む衛生薄葉紙の製造方法であって、
前記紙料調整工程は、
種箱に前記原料が送られる前の段階において柔軟剤を添加する第１添加工程と、
前記種箱において柔軟剤を添加する第２添加工程と、
を含み、
前記柔軟剤の添加量は、前記第２添加工程よりも前記第１添加工程の方が多いことを特徴とする。
【００１０】
請求項２に記載の発明は、請求項１に記載の衛生薄葉紙の製造方法において、前記紙料調整工程は、
ＤＤＲ前タンクで水に解されたパルプ原料の濃度調整を行う工程と、
ミキシングタンクで添加剤とパルプ原料を混合させる工程と、を有し、
前記第１添加工程は、
前記ＤＤＲ前タンクにおいて柔軟剤を添加する工程又は前記ミキシングタンクにおいて柔軟剤を添加する工程であることを特徴とする。
【００１２】
請求項３に記載の発明は、請求項１又は２に記載の衛生薄葉紙の製造方法において、前記柔軟剤の添加量比は、前記第２添加工程が０．３に対して、前記第１添加工程が０．５〜１．０であることを特徴とする。
請求項４に記載の発明は、原料から繊維の懸濁液である紙料を調整する紙料調整工程と、
前記紙料から繊維を抄いて繊維ウェブとしたものを搬送しながら乾燥する抄紙工程と、
を含む衛生薄葉紙の製造方法であって、
前記紙料調整工程は、
種箱に前記原料が送られる前の段階において柔軟剤を添加する第１添加工程と、
前記種箱において柔軟剤を添加する第２添加工程と、
を含み、
前記柔軟剤の添加量比は、前記第２添加工程が０．３に対して、前記第１添加工程が０．５〜１．０であることを特徴とする。
【発明の効果】
【００１３】
請求項１に記載の発明によれば、原料から繊維の懸濁液である紙料を調整する紙料調整工程において、種箱に原料が送られる前の段階（第１添加工程）、及び種箱（第２添加工程）において柔軟剤が添加されることで衛生薄葉紙が製造されるので、種箱（第２添加工程）においてのみ柔軟剤が添加される場合と比べ、柔軟剤の定着率を高めることができ、風合い効果を向上させることができる。
また、柔軟剤の添加量は、第２添加工程よりも第１添加工程の方が多いこととなり、第２添加工程においてのみ柔軟剤が添加される場合と比べ、柔軟剤の定着率を高めることができ、風合い効果を向上させることができる。
【００１４】
請求項２に記載の発明によれば、ＤＤＲ前タンク又はミキシングタンクにおいて柔軟剤が添加されることとなり、従来の製造工程を利用して柔軟剤を添加することができるので、容易に柔軟剤の定着率を高めることができる。
【００１６】
請求項３に記載の発明によれば、柔軟剤の添加量比は、第２添加工程が０．３に対して、第１添加工程が０．５〜１．０であることとなり、第２添加工程においてのみ柔軟剤が添加される場合と比べ、確実に柔軟剤の定着率を高めることができ、風合い効果を向上させることができる。
請求項４に記載の発明によれば、原料から繊維の懸濁液である紙料を調整する紙料調整工程において、種箱に原料が送られる前の段階（第１添加工程）、及び種箱（第２添加工程）において柔軟剤が添加されることで衛生薄葉紙が製造されるので、種箱（第２添加工程）においてのみ柔軟剤が添加される場合と比べ、柔軟剤の定着率を高めることができ、風合い効果を向上させることができる。
また、柔軟剤の添加量比は、第２添加工程が０．３に対して、第１添加工程が０．５〜１．０であることとなり、第２添加工程においてのみ柔軟剤が添加される場合と比べ、確実に柔軟剤の定着率を高めることができ、風合い効果を向上させることができる。
【図面の簡単な説明】
【００１７】
【図１】衛生薄葉紙の製造に係る紙料調整工程について示した図である。
【発明を実施するための形態】
【００１８】
以下に、本発明の実施の形態について詳細に説明する。
なお、本実施形態に係る衛生薄葉紙は、例えば、ティシューペーパー、トイレットペーパー、キッチンペーパー、クレープ紙等に適用可能なものである。
【００１９】
本実施形態に係る衛生薄葉紙を構成する原紙は、原料パルプを主原料とする薄葉紙用抄紙原料により製造できる。その原料パルプは、特に限定されるものではなく、衛生薄葉紙の具体的な用途に応じて適宜の原料パルプを選択し、また適宜配合して使用することができる。
【００２０】
原料パルプを例示すれば、木材パルプ、非木材パルプ、合成パルプ、古紙パルプなどから、より具体的には、砕木パルプ（ＧＰ）、ストーングランドパルプ（ＳＧＰ）、リファイナーグランドパルプ（ＲＧＰ）、加圧式砕木パルプ（ＰＧＷ）、サーモメカニカルパルプ（ＴＭＰ）、ケミサーモメカニカルパルプ（ＣＴＭＰ）、ブリーチケミサーモメカニカルパルプ（ＢＣＴＭＰ）等の機械パルプ（ＭＰ）、化学的機械パルプ（ＣＧＰ）、半化学的パルプ（ＳＣＰ）、広葉樹晒クラフトパルプ（ＬＢＫＰ）、針葉樹晒クラフトパルプ（ＮＢＫＰ）等のクラフトパルプ（ＫＰ）、またそれらの未漂白パルプ、ソーダパルプ（ＡＰ）、サルファイトパルプ（ＳＰ）、溶解パルプ（ＤＰ）等の化学的パルプ（ＣＰ）、ナイロン、レーヨン、ポリエステル、ポリビニルアルコール（ＰＶＡ）等を原料とする合成パルプ、脱墨パルプ（ＤＩＰ）、ウエストパルプ（ＷＰ）等の古紙パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどから、一種又は数種を適宜選択して使用することができる。
【００２１】
特に、原料パルプは、ＮＢＫＰとＬＢＫＰとを配合したものが好ましい。適宜古紙パルプが配合されていてもよいが、風合いなどの点で、ＮＢＫＰとＬＢＫＰのみから構成されているのがよく、その場合配合割合としては、ＮＢＫＰ：ＬＢＫＰ＝３０：７０〜５０：５０がよく、特に、ＮＢＫＰ：ＬＢＫＰ＝４０：６０が望ましい。
【００２２】
原料パルプ等の原料は、例えば、公知の抄紙工程、具体的には、ワイヤパート、プレスパート、ドライヤパート、サイズプレス、カレンダパート等を経るなどして薄葉紙とする。抄紙に際しては、例えば、分散剤、苛性ソーダ、アンモニア水等のｐＨ調整剤、消泡剤、防腐剤、蛍光染料、離型剤、耐水化剤、流動変性剤、歩留向上剤などの適宜の薬品を添加することができる。
【００２３】
また、本実施形態に係る衛生薄葉紙は、例えば、全体として高級感等を演出する効果を得るために、地色が白色に限らず薄いピンクやブルーであってもよく、或いは着色されないパルプ自体の色が現出したものであってもよい。なお、薄葉紙自体の地色の調整は、技術に従って着色した抄紙原料を用いて抄紙するなど既知の技術により達成できる。
【００２４】
また、本実施形態に係る衛生薄葉紙の米坪は、その用途によって適宜調整することができるが、米坪は１０〜３０ｇ／ｍ２の範囲内にあるものを使用するのが望ましい。米坪が１０ｇ／ｍ２未満では、柔らかさの向上の観点からは好ましいものの、使用に耐えうる十分な強度を適正に確保することが困難となる。逆に、米坪が３０ｇ／ｍ２を超えると紙全体が硬くなるとともに、ゴワ付き感が生じてしまい肌触りが悪くなる。なお、坪量の測定方法としては、例えば、ＪＩＳ  Ｐ８１２４に準じた方法等が挙げられる。
【００２５】
また、本実施形態に係る衛生薄葉紙に添加される柔軟剤の代表例は、界面活性剤系の柔軟剤であり、その柔軟剤としては、アニオン系界面活性剤、非イオン系界面活性剤、カチオン系界面活性剤及び両性イオン界面活性剤のなかから適宜選択して使用することができる。アニオン系界面活性剤としては、カルボン酸塩系、スルホン酸塩系、硫酸エステル塩系、燐酸エステル塩系などを使用することができる。特に、アルキル燐酸エステル塩が好ましい。
【００２６】
非イオン界面活性剤としては、ソルビタン脂肪酸エステル、ジエチレングリコールモノステアレート、ジエチレングリコールモノオレエート、グリセリルモノステアレート、グリセリルモノオレート、プロピレングリコールモノステアレートなどの多価アルコールモノ脂肪酸エステル、Ｎ−（３−オレイロシキ−２−ヒドロキシプロピル）ジエタノールアミン、ポリオキシエチレン硬化ヒマシ油、ポリオキシエチレンソルビット密ロウ、ポリオキシエチレンソルビタンセスキステアレート、ポリオキシエチレンモノオレエート、ポリオキシエチレンモノラウレート、ポリオキシエチレンセチルエーテル、ポリオキシエチレンラウリルエーテルなどを使用することができる。
【００２７】
カチオン界面活性剤としては、第４級アンモニウム塩、アミン塩、又はアミンなどを使用することができる。柔軟剤としては、このカチオン界面活性剤を使用するのが望ましい。
また、両性イオン界面活性剤としては、カルボキシ、スルホネート、サルフェートを含有する第２級若しくは第３級アミンの脂肪族誘導体、又は複素環式第２級若しくは第３級アミンの脂肪族誘導体などを使用することができる。
【００２８】
次に、本実施形態に係る衛生薄葉紙の製造方法について説明する。
本実施形態に係る衛生薄葉紙は、従来の湿式方法により製造されるものである（図１参照）。即ち、この製造方法にあっては、原料から繊維（パルプ）の懸濁液である紙料を調整する紙料調整工程と、紙料から繊維を抄いて繊維ウェブとしたものを搬送しながら乾燥する抄紙工程と、を経て製造される。
【００２９】
そして、本実施形態に係る衛生薄葉紙は、紙料調整工程において、原料に対して、二回に分けて柔軟剤が添加されて製造されるようになっている。具体的には、種箱に原料が送られる前の段階で柔軟剤を添加する第１添加工程、及び種箱において柔軟剤を添加する第２添加工程と、を含んでいる。ここで、種箱に原料が送られる前の段階とは、例えば、ＤＤＲ前タンク２、ミキシングタンク４、マシンタンク５などである。
【００３０】
即ち、紙料調整工程では、まず、パルパー１により原料となるパルプを水に解させる。
次に、水に解されたパルプ原料の濃度調整をＤＤＲ前タンク２にて行う。この工程で柔軟剤を添加することもできる。
そして、ＤＤＲ３によりパルプ原料を叩解させることで繊維同士を絡めあわせ、紙力強度を調整する。
ＤＤＲ３にて紙力強度が調整されたパルプ原料は、ミキシングタンク４において柔軟剤や保湿剤と混合される。
ミキシングタンク４において混合された原料は、マシンタンク５で一時貯留される。
最後に、種箱６において、各種添加剤（例えば、歩留向上剤、乾燥紙力増強剤、定着剤等）や柔軟剤が添加され、紙料の調整が行われる。
【００３１】
なお、本実施形態では、柔軟剤を二回に分けて添加するようにしているが、柔軟剤の添加量は、種箱（第２添加工程）よりも種箱に原料が送られる前の段階（第１添加工程）の方が多いことが望ましい。より具体的には、柔軟剤の添加量比は、第２添加工程が０．３に対して、第１添加工程が０．５〜１．０であることが望ましい。
【００３２】
次に、実施例及び比較例を挙げて、本発明をより具体的に説明するが、勿論本発明はこれらの実施例に限定されるものではない。なお、以下の実施例及び比較例にあっては、衛生薄葉紙としてトイレットペーパーを用いた。また、柔軟剤としてアミド系カチオン性柔軟剤を使用した。
【００３３】
（柔軟剤定着率の測定）
以下の実施例１〜３、比較例１〜３の条件でトイレットペーパーを製造し、各トイレットペーパーの柔軟剤定着率を測定した。
＜実施例１＞
Ａライン内で、ミキシングタンクにおいて柔軟剤を１．０ｋｇ／ｔ、種箱において柔軟剤を０．３ｋｇ／ｔ、合わせて１．３ｋｇ／ｔの柔軟剤を添加して、トイレットペーパーを製造した。
＜比較例１＞
Ａライン内で、種箱において１．２ｋｇ／ｔの柔軟剤を添加して、トイレットペーパーを製造した。
＜実施例２＞
Ｂライン内で、ＤＤＲ前タンクにおいて柔軟剤を１．０ｋｇ／ｔ、種箱において柔軟剤を０．３ｋｇ／ｔ、合わせて１．３ｋｇ／ｔの柔軟剤を添加して、トイレットペーパーを製造した。
＜比較例２＞
Ｂライン内で、種箱において１．０ｋｇ／ｔの柔軟剤を添加して、トイレットペーパーを製造した。
＜実施例３＞
Ｃライン内で、ＤＤＲ前タンクにおいて柔軟剤を０．５ｋｇ／ｔ、種箱において柔軟剤を０．３ｋｇ／ｔ、合わせて０．８ｋｇ／ｔの柔軟剤を添加して、トイレットペーパーを製造した。
＜比較例３＞
Ｃライン内で、種箱において１．０ｋｇ／ｔの柔軟剤を添加して、トイレットペーパーを製造した。
【００３４】
柔軟剤定着率の測定結果を表１に示す。
【表１】
0005769986.tif 000002
【００３５】
［評価］
Ａライン内では、表１（Ａ）に示すように、実施例１において、柔軟剤定着率が４６％のトイレットペーパーが得られた。一方、比較例１において、柔軟剤定着率が３３％のトイレットペーパーが得られた。
Ｂライン内では、表１（Ｂ）に示すように、実施例２において、柔軟剤定着率が１００％のトイレットペーパーが得られた。一方、比較例２において、柔軟剤定着率が８０％のトイレットペーパーが得られた。
Ｃライン内では、表１（Ｃ）に示すように、実施例３において、柔軟剤定着率が１００％のトイレットペーパーが得られた。一方、比較例３において、柔軟剤定着率が７０％のトイレットペーパーが得られた。
【００３６】
以上のように、いずれのラインにおいても、種箱に原料が送られる前の段階（第１添加工程）、及び種箱（第２添加工程）で柔軟剤を添加した場合（実施例１〜３）の方が、種箱（第２添加工程）においてのみ柔軟剤を添加した場合（比較例１〜３）よりも、柔軟剤定着率が高いことが分かった。
また、各実施例は、いずれも柔軟剤の添加量が種箱（第２添加工程）よりも種箱に原料が送られる前の段階（第１添加工程）の方が多くなっていることから、柔軟剤の添加量は、第２添加工程よりも第１添加工程の方が多いことが望ましいことが分かった。
特に、各実施例において、種箱（第２添加工程）での柔軟剤の添加量は０．３ｋｇ／ｔであり、種箱に原料が送られる前の段階（第１添加工程）での柔軟剤の添加量は０．５〜１．０ｋｇ／ｔであることから、より好ましい柔軟剤の添加量比は、第２添加工程が０．３に対して、第１添加工程が０．５〜１．０であることが分かった。
【００３７】
（実使用評価結果）
以下の実施例４〜７、比較例４，５の条件で製造されたトイレットペーパーを試験者に実際に使用させ、柔らかさ、ふんわり感、肌触りの良さ、パリパリ感のなさ、の４項目で評価させたうえで、総合的な満足度を評価させた。なお、評価は全て５段階評価で行われ、各試験者による評価の平均値を、それぞれの項目の評価値として算出した。ここで、評価値が大きいほど、各項目における効果が優れているものとする。
＜実施例４＞
ミキシングタンクにおいて柔軟剤を１．０ｋｇ／ｔ、種箱において柔軟剤を０．３ｋｇ／ｔ、合わせて１．３ｋｇ／ｔの柔軟剤を添加するとともに、保湿剤を０．５ｋｇ／ｔ添加して製造したトイレットペーパーを使用した。なお、使用したトイレットペーパーの紙力強度は縦が２９２ｃＮ、横が８７ｃＮであった。
＜実施例５＞
ミキシングタンクにおいて柔軟剤を１．０ｋｇ／ｔ、種箱において柔軟剤を０．３ｋｇ／ｔ、合わせて１．３ｋｇ／ｔの柔軟剤を添加するとともに、保湿剤を０．５ｋｇ／ｔ添加して製造したトイレットペーパーを使用した。なお、使用したトイレットペーパーの紙力強度は縦が３０２ｃＮ、横が８１ｃＮであった。
＜実施例６＞
ミキシングタンクにおいて柔軟剤を１．０ｋｇ／ｔ、種箱において柔軟剤を０．３ｋｇ／ｔ、合わせて１．３ｋｇ／ｔの柔軟剤を添加するとともに、保湿剤を０．５ｋｇ／ｔ添加して製造したトイレットペーパーを使用した。なお、使用したトイレットペーパーの紙力強度は縦が３０４ｃＮ、横が８８ｃＮであった。
＜実施例７＞
ミキシングタンクにおいて柔軟剤を１．０ｋｇ／ｔ、種箱において柔軟剤を０．３ｋｇ／ｔ、合わせて１．３ｋｇ／ｔの柔軟剤を添加するとともに、保湿剤を０．５ｋｇ／ｔ添加して製造したトイレットペーパーを使用した。なお、使用したトイレットペーパーの紙力強度は縦が２７２ｃＮ、横が８０ｃＮであった。
＜比較例４＞
種箱において０．５ｋｇ／ｔの柔軟剤を添加するとともに、保湿剤を２．５ｋｇ／ｔ、助剤を０．５ｋｇ／ｔ添加して製造したトイレットペーパーを使用した。なお、使用したトイレットペーパーの紙力強度は縦が２８６ｃＮ、横が９０ｃＮであった。
＜比較例５＞
種箱において１．３ｋｇ／ｔの柔軟剤を添加するとともに、保湿剤を１．５ｋｇ／ｔ添加して製造したトイレットペーパーを使用した。なお、使用したトイレットペーパーの紙力強度は縦が２２３ｃＮ、横が６２ｃＮであった。
【００３８】
試験者による実使用評価結果を表２に示す。
【表２】
0005769986.tif 000003
【００３９】
［評価］
比較例４では、柔らかさが２．３、ふんわり感が２．３、肌触りの良さが２．３、パリパリ感のなさが２．５の評価値が得られ、総合評価が２．３であった。
比較例５では、柔らかさが２．７、ふんわり感が２．７、肌触りの良さが２．９、パリパリ感のなさが２．７の評価値が得られ、総合評価が２．８であった。
これら比較例４，５の総合評価の平均値は、２．５５であった。
【００４０】
実施例４では、柔らかさが３．３、ふんわり感が３．２、肌触りの良さが３．５、パリパリ感のなさが３．３の評価値が得られ、総合評価が３．３であった。
実施例５では、柔らかさが３．５、ふんわり感が３．５、肌触りの良さが３．５、パリパリ感のなさが３．５の評価値が得られ、総合評価が３．３であった。
実施例６では、柔らかさが３．２、ふんわり感が３．１、肌触りの良さが３．３、パリパリ感のなさが３．２の評価値が得られ、総合評価が３．４であった。
実施例７では、柔らかさが３．４、ふんわり感が３．４、肌触りの良さが３．３、パリパリ感のなさが３．３の評価値が得られ、総合評価が３．３であった。
これら実施例４〜７の総合評価の平均値は、３．３３であった。
【００４１】
以上のように、実施例４〜７と比較例４，５を比較したところ、全ての項目において、実施例４〜７のトイレットペーパーの評価が高いことが分かった。即ち、種箱に原料が送られる前の段階（第１添加工程）、及び種箱（第２添加工程）で柔軟剤を添加した場合（実施例４〜７）の方が、種箱（第２添加工程）においてのみ柔軟剤を添加した場合（比較例４，５）よりも、使用者の満足度が高く、柔軟剤定着率を高めることが風合い効果の向上に寄与することが分かった。
【００４２】
このように、本実施形態に係る衛生薄葉紙の製造方法によれば、原料から繊維の懸濁液である紙料を調整する紙料調整工程において、種箱に原料が送られる前の段階（第１添加工程）、及び種箱（第２添加工程）において柔軟剤が添加されることで衛生薄葉紙が製造されるので、種箱（第２添加工程）においてのみ柔軟剤が添加される場合と比べ、柔軟剤の定着率を高めることができ、風合い効果を向上させることができる。
【００４３】
また、本実施形態に係る衛生薄葉紙の製造方法によれば、ＤＤＲ前タンク又はミキシングタンクにおいて柔軟剤が添加されることとなり、従来の製造工程を利用して柔軟剤を添加することができるので、容易に柔軟剤の定着率を高めることができる。
【００４４】
また、本実施形態に係る衛生薄葉紙の製造方法によれば、柔軟剤の添加量は、第２添加工程よりも第１添加工程の方が多いこととなり、第２添加工程においてのみ柔軟剤が添加される場合と比べ、柔軟剤の定着率を高めることができ、風合い効果を向上させることができる。
【００４５】
また、本実施形態に係る衛生薄葉紙の製造方法によれば、柔軟剤の添加量比は、第２添加工程が０．３に対して、第１添加工程が０．５〜１．０であることとなり、第２添加工程においてのみ柔軟剤が添加される場合と比べ、確実に柔軟剤の定着率を高めることができ、風合い効果を向上させることができる。
【００４６】
以上、本発明に係る実施形態に基づいて具体的に説明したが、本発明は上記実施形態に限定されるものではなく、その要旨を逸脱しない範囲で変更可能である。
【符号の説明】
【００４７】
１  パルパー
２  ＤＤＲ前タンク
３  ＤＤＲ
４  ミキシングタンク
５  マシンタンク
６  種箱
【図１】
0005769986.tif 000004